(57)【要約】【課題】端末装置の位置情報を用いて特定される対象掲載物に掲載される地図と当該位置情報が示す位置との対応関係が分かるようにする。【解決手段】位置情報取得部１１０は、端末装置２００から位置情報を取得する。掲載物特定部１２０は、地図を掲載した複数の掲載物の中から、位置情報取得部１１０が取得した位置情報を用いた処理により対象掲載物を特定する。地図情報提供部１４０は、掲載物特定部１２０が特定した対象掲載物に掲載される地図と、位置情報取得部１１０が取得した位置情報が示す位置との対応関係を示す情報を端末装置２００に提供する。【選択図】図１
2019197094.tif 000002
【特許請求の範囲】
【請求項１】
端末装置から位置情報を取得する取得手段と、
地図を掲載した複数の掲載物の中から前記位置情報を用いた処理により対象掲載物を特定する特定手段と、
前記対象掲載物に掲載される地図と前記位置情報が示す位置との対応関係を示す情報を前記端末装置に提供する提供手段と、
を有する情報提供装置。
【請求項２】
請求項１に記載の情報提供装置において、
前記特定手段は、各掲載物がある場所と前記位置情報が示す位置とを比較することにより、複数の掲載物の中から取得し易さの条件を満たす前記対象掲載物を特定する、
ことを特徴とする情報提供装置。
【請求項３】
請求項１または２に記載の情報提供装置において、
前記提供手段は、前記対象掲載物の地図上における前記位置情報が示す位置の掲載箇所を示す情報を前記端末装置に提供する、
ことを特徴とする情報提供装置。
【請求項４】
請求項１から３のいずれか１項に記載の情報提供装置において、
前記提供手段は、前記対象掲載物の地図上における前記位置情報が示す位置から目的地までの経路に対応した掲載箇所を順に示す経路情報を前記端末装置に提供する、
ことを特徴とする情報提供装置。
【請求項５】
請求項１から４のいずれか１項に記載の情報提供装置において、
前記端末装置の言語設定情報と翻訳サービスの利用情報の少なくとも一方から、当該端末装置のユーザが利用する利用言語を判定する手段と、
前記利用言語に対応した特定施設の位置を特定する手段と、
をさらに有し、
前記提供手段は、前記対象掲載物の地図上における前記特定施設の位置の掲載箇所を示す情報を前記端末装置に提供する、
ことを特徴とする情報提供装置。
【請求項６】
ユーザが利用する端末装置と当該端末装置に情報を提供する情報提供装置を備える情報提供システムであって、
前記端末装置は、
当該端末装置の位置情報を出力する手段と、
前記情報提供装置から提供される情報を表示する手段と、
を有し、
前記情報提供装置は、
前記端末装置から位置情報を取得する手段と、
地図を掲載した複数の掲載物の中から前記位置情報を用いた処理により対象掲載物を特定する手段と、
前記対象掲載物に掲載される地図と前記位置情報が示す位置との対応関係を示す情報を前記端末装置に提供する手段と、
を有する、
ことを特徴とする情報提供システム。
【請求項７】
コンピュータに、
端末装置から位置情報を取得する機能と、
地図を掲載した複数の掲載物の中から前記位置情報を用いた処理により対象掲載物を特定する機能と、
前記対象掲載物に掲載される地図と前記位置情報が示す位置との対応関係を示す情報を前記端末装置に提供する機能と、
を実現させるプログラム。
【発明の詳細な説明】
【技術分野】
【０００１】
本発明は、情報提供装置、情報提供システムおよびプログラムに関する。
【背景技術】
【０００２】
特許文献１には、ＧＰＳ衛星からの電波に重畳されるデータから受信点の緯度と径度を算出し、受信点が含まれる地図帳のページ番号を算出する装置が記載されている。
【０００３】
また、特許文献２には、ユーザ利用端末の位置情報に基づいて避難場所を特定し、ユーザの現在位置から避難場所までの経路のうち、通行可能であって最も距離が短い経路を避難経路として決定し、避難経路を地図情報と合成した情報とユーザの移動すべき方向等を示す案内情報をユーザ利用端末に送信するシステムが記載されている。
【０００４】
また、特許文献３には、時々刻々と変化する多様な洪水氾濫状況下でリアルタイムな情報を配信するリアルタイムハザードマップシステムが記載されている。
【０００５】
そして、特許文献４には、被災場所情報の示す場所を通過しない避難ルートに関する避難ルート情報を生成し、地図情報と避難ルート情報を出力する装置が記載されている。
【先行技術文献】
【特許文献】
【０００６】
【特許文献１】特開平７−７１９７０号公報
【特許文献２】国際公開第２００７／０１８３０５号パンフレット
【特許文献３】特開２００３−１６８１７９号公報
【特許文献４】特開２０１３−１９５０９５号公報
【発明の概要】
【発明が解決しようとする課題】
【０００７】
例えば、旅先などの不慣れな場所では、スマートフォンなどの端末装置に表示される地図だけではなく、書籍やパンフレットなどの掲載物に掲載される地図を利用したい場合がある。
【０００８】
本発明は、端末装置の位置情報を用いて特定される対象掲載物に掲載される地図と当該位置情報が示す位置との対応関係が分かるようにすることを目的とする。
【課題を解決するための手段】
【０００９】
請求項１に係る発明は、端末装置から位置情報を取得する取得手段と、地図を掲載した複数の掲載物の中から前記位置情報を用いた処理により対象掲載物を特定する特定手段と、前記対象掲載物に掲載される地図と前記位置情報が示す位置との対応関係を示す情報を前記端末装置に提供する提供手段とを有する情報提供装置である。
【００１０】
請求項２に係る発明は、請求項１に記載の情報提供装置において、前記特定手段は、各掲載物がある場所と前記位置情報が示す位置とを比較することにより、複数の掲載物の中から取得し易さの条件を満たす前記対象掲載物を特定することを特徴とする情報提供装置である。
【００１１】
請求項３に係る発明は、請求項１または２に記載の情報提供装置において、前記提供手段は、前記対象掲載物の地図上における前記位置情報が示す位置の掲載箇所を示す情報を前記端末装置に提供することを特徴とする情報提供装置である。
【００１２】
請求項４に係る発明は、請求項１から３のいずれか１項に記載の情報提供装置において、前記提供手段は、前記対象掲載物の地図上における前記位置情報が示す位置から目的地までの経路に対応した掲載箇所を順に示す経路情報を前記端末装置に提供することを特徴とする情報提供装置である。
【００１３】
請求項５に係る発明は、請求項１から４のいずれか１項に記載の情報提供装置において、前記端末装置の言語設定情報と翻訳サービスの利用情報の少なくとも一方から、当該端末装置のユーザが利用する利用言語を判定する手段と、前記利用言語に対応した特定施設の位置を特定する手段と、をさらに有し、前記提供手段は、前記対象掲載物の地図上における前記特定施設の位置の掲載箇所を示す情報を前記端末装置に提供することを特徴とする情報提供装置である。
【００１４】
請求項６に係る発明は、ユーザが利用する端末装置と当該端末装置に情報を提供する情報提供装置を備える情報提供システムであって、前記端末装置は、当該端末装置の位置情報を出力する手段と、前記情報提供装置から提供される情報を表示する手段と、を有し、前記情報提供装置は、前記端末装置から位置情報を取得する手段と、地図を掲載した複数の掲載物の中から前記位置情報を用いた処理により対象掲載物を特定する手段と、前記対象掲載物に掲載される地図と前記位置情報が示す位置との対応関係を示す情報を前記端末装置に提供する手段とを有することを特徴とする情報提供システムである。
【００１５】
請求項７に係る発明は、コンピュータに、端末装置から位置情報を取得する機能と、地図を掲載した複数の掲載物の中から前記位置情報を用いた処理により対象掲載物を特定する機能と、前記対象掲載物に掲載される地図と前記位置情報が示す位置との対応関係を示す情報を前記端末装置に提供する機能とを実現させるプログラムである。
【発明の効果】
【００１６】
請求項１に係る発明により、端末装置の位置情報を用いて特定される対象掲載物に掲載される地図と当該位置情報が示す位置との対応関係が分かる。
【００１７】
請求項２に係る発明により、端末装置の位置情報が示す位置で取得し易い対象掲載物が特定される。
【００１８】
請求項３に係る発明により、対象掲載物の地図上で位置情報が示す位置が分かる。
【００１９】
請求項４に係る発明により、対象掲載物の地図上で位置情報が示す位置から目的地までの経路が分かる。
【００２０】
請求項５に係る発明により、対象掲載物の地図上でユーザが利用する利用言語に対応した特定施設の位置が分かる。
【００２１】
請求項６に係る発明により、端末装置の位置情報を用いて特定される対象掲載物に掲載される地図と当該位置情報が示す位置との対応関係の情報を提供するシステムが実現される。
【００２２】
請求項７に係る発明により、端末装置の位置情報を用いて特定される対象掲載物に掲載される地図と当該位置情報が示す位置との対応関係が分かる。
【図面の簡単な説明】
【００２３】
【図１】情報提供システムの具体例を示す図である。
【図２】情報提供装置が実行する処理の具体例１を示す図である。
【図３】地図情報の具体例を示す図である。
【図４】掲載物に掲載される地図の具体例を示している。
【図５】情報提供装置が実行する処理の具体例２を示す図である。
【図６】経路情報の具体例を示す図である。
【図７】情報提供装置が取り扱う各種情報の具体例を示す図である。
【発明を実施するための形態】
【００２４】
図１は、本発明の具体的な実施態様の一例を示す図である。図１には、情報提供装置１００と１台以上の端末装置２００を備えた情報提供システムの具体例が図示されている。情報提供装置１００と端末装置２００は、例えば通信回線（通信ネットワーク）を介して互いに接続されてデータ（情報）を遣り取りする。
【００２５】
情報提供装置１００は、書籍やパンフレットなどの掲載物に掲載される地図の情報を端末装置２００に提供する。図１に示す具体例において、情報提供装置１００は、位置情報取得部１１０と掲載物特定部１２０とデータ記憶部１３０と地図情報提供部１４０と経路情報生成部１５０と言語判定部１６０と施設特定部１７０を備えている。
【００２６】
位置情報取得部１１０は、端末装置２００から位置情報を取得する。掲載物特定部１２０は、地図を掲載した複数の掲載物の中から、位置情報取得部１１０が取得した位置情報を用いた処理により対象掲載物を特定する。掲載物特定部１２０は、例えば、各掲載物がある場所と位置情報が示す位置とを比較することにより、複数の掲載物の中から取得し易さの条件を満たす対象掲載物を特定する。
【００２７】
データ記憶部１３０には、書籍やパンフレットなどの複数の掲載物に関する情報が記憶される。また、データ記憶部１３０には、情報提供装置１００が利用する各種の情報も記憶される。データ記憶部１３０は、例えばハードディスクドライブや半導体メモリなどの記憶デバイスを利用して実現される。
【００２８】
地図情報提供部１４０は、掲載物特定部１２０が特定した対象掲載物に掲載される地図と、位置情報取得部１１０が取得した位置情報が示す位置との対応関係を示す情報を端末装置２００に提供する。地図情報提供部１４０は、例えば、対象掲載物の地図上における位置情報が示す位置の掲載箇所を示す情報や、対象掲載物の地図上における位置情報が示す位置から目的地までの経路に対応した掲載箇所を順に示す経路情報や、対象掲載物の地図上における特定施設の位置の掲載箇所を示す情報などを端末装置２００に提供する。
【００２９】
経路情報生成部１５０は、位置情報取得部１１０が取得した位置情報が示す位置から目的地までの経路の情報を生成する。言語判定部１６０は、端末装置２００の言語設定情報と翻訳サービスの利用情報の少なくとも一方から、端末装置２００のユーザが利用する利用言語を判定する。そして、施設特定部１７０は、端末装置２００のユーザが利用する利用言語に対応した特定施設の位置を特定する。
【００３０】
図１に示す具体例の情報提供装置１００は、例えば１台以上のコンピュータを利用して実現されてもよい。そのコンピュータは、ＣＰＵ等の演算デバイス、メモリやハードディスク等の記憶デバイス、インターネット等の通信回線を利用する通信デバイス、光ディスクや半導体メモリ等の記憶媒体からデータを読み取りデータを書き込むデバイス、ディスプレイ等の表示デバイス、ユーザから操作を受け付ける操作デバイス等のハードウェア資源を備えている。
【００３１】
そして、例えば、図１に例示する情報提供装置１００が備える符号を付した複数部分のうちの少なくとも一部の機能に対応したプログラム（ソフトウェア）がコンピュータに読み込まれ、そのコンピュータが備えるハードウェア資源と読み込まれたソフトウェアとの協働により、情報提供装置１００の少なくとも一部の機能がコンピュータにより実現される。そのプログラムは、例えば、インターネット等の通信回線を介してコンピュータ（情報提供装置１００）に提供されてもよいし、光ディスクや半導体メモリやカードメモリ等の記憶媒体に記憶されてコンピュータ（情報提供装置１００）に提供されてもよい。
【００３２】
端末装置２００は、図１に示す情報提供システムのユーザが利用する装置である。図１に例示する端末装置２００の具体例には、スマートフォンやタブレットなどの携帯情報端末が含まれる。端末装置２００が携帯情報端末であれば、例えば無線接続の通信回線を利用して、情報提供装置１００とデータ（情報）を遣り取りする。なお、端末装置２００はコンピュータなどの情報処理装置であってもよい。また、端末装置２００は、有線接続の通信回線を利用して情報提供装置１００とデータ（情報）を遣り取りしてもよい。
【００３３】
図１に示す具体例において、端末装置２００は、位置情報処理部２１０と表示部２２０を備えている。
【００３４】
位置情報処理部２１０は、端末装置２００の位置情報を取得する。位置情報処理部２１０は、例えば、ＧＰＳ（登録商標）の位置情報サービスを利用して、端末装置２００の現在位置を示す位置情報を取得する。位置情報は、経度と緯度を示す情報でもよいし、基準となる座標系（例えば東西方向に対応した座標軸と南北方向に対応した座標軸を備えた座標系など）における座標値を示す情報でもよい。
【００３５】
表示部２２０は、情報提供装置１００から提供される情報などを表示する。表示部２２０は、例えばディスプレイやタッチパネル等の表示デバイスを利用して実現される。
【００３６】
図１に例示する情報提供システムの全体構成は以上のとおりである。次に、図１の情報提供システムにより実現される処理等について詳述する。なお、図１に示した構成（符号を付した部分）については、以下の説明において図１の符号を利用する。
【００３７】
図２は、情報提供装置１００が実行する処理の具体例１を示す図（フローチャート）である。図２に示す具体例１では、まず、位置情報取得部１１０が端末装置２００から位置情報を取得する（Ｓ２０１）。位置情報取得部１１０は、例えば通信デバイスを利用して端末装置２００から通信回線を介して提供される位置情報を取得する。
【００３８】
次に、掲載物特定部１２０は、地図を掲載した複数の掲載物の中から位置情報を用いた処理により対象掲載物を特定する（Ｓ２０２）。掲載物特定部１２０は、例えば、掲載物がある場所と位置情報が示す位置とを比較することにより、複数の掲載物の中から取得し易さの条件を満たす掲載物を特定して対象掲載物とする。
【００３９】
掲載物の具体例には、例えば書籍やパンフレットなどが含まれる。例えば、掲載物が書籍であれば書店などの店舗にその書籍があり、掲載物が観光用のパンフレットであれば観光案内所などの施設にそのパンフレットがある。
【００４０】
掲載物特定部１２０は、例えば、複数の掲載物と掲載物がある場所とを対応付けた掲載物関連データを参照して対象掲載物を特定する。掲載物関連データは、データ記憶部１３０に予め記憶されていてもよいし、掲載物関連データを提供する装置などから通信回線を介して情報提供装置１００に掲載物関連データが提供されてもよい。
【００４１】
掲載物特定部１２０は、複数の掲載物の中から取得し易さの条件を満たす掲載物を特定して対象掲載物とする。掲載物特定部１２０は、例えば、端末装置２００の位置情報が示す位置の周辺にある掲載物を対象掲載物とする。例えば、端末装置２００の位置情報が示す位置からの距離が近い順にいくつかの掲載物が対象掲載物に特定される。
【００４２】
また、掲載物の在庫状況を踏まえて対象掲載物が特定されてもよい。例えば、掲載物特定部１２０は、書店などの施設ごとに書籍などの掲載物の在庫状況を示す在庫データを利用して、複数の掲載物の中から端末装置２００の位置情報が示す位置の周辺で在庫がある掲載物を対象掲載物としてもよい。なお、在庫データは、データ記憶部１３０に予め記憶されていてもよいし、例えば掲載物関連データの一部として通信回線を介して情報提供装置１００に提供されてもよい。さらに、掲載物が書籍であれば、販売実績や発行部数が多い書籍を優先して対象掲載物としてもよい。
【００４３】
対象掲載物が特定されると、その対象掲載物と位置情報とを対応付けた地図情報が生成される（Ｓ２０３）。例えば、地図情報提供部１４０が、対象掲載物の地図上における位置情報が示す位置の掲載箇所を示す地図情報を生成する。そして、地図情報提供部１４０は、端末装置２００へ位置情報を提供する（Ｓ２０４）。
【００４４】
図３は、地図情報の具体例を示す図である。図３には、端末装置２００の位置情報が示すユーザの現在位置に関する地図情報の具体例が図示されている。
【００４５】
識別番号は、掲載物を識別するための番号である。例えば、掲載物が書籍であれば、書籍を特定するための識別番号としてＩＳＢＮ（International Standard Book Number）が利用されてもよい。
【００４６】
掲載物名は、掲載物の名称である。例えば、掲載物が書籍であれば書籍名（タイトル）が掲載物名とされ、掲載物がパンフレットであればそのパンフレットの名称などが掲載物名となる。
【００４７】
掲載箇所は、掲載物に掲載される地図上における端末装置２００の位置情報が示す位置の掲載箇所である。図３に示す具体例では、地図が掲載されるページとそのページ内の区画によって掲載箇所が示されている。
【００４８】
例えば、図３に示す具体例では、書籍である「関東地図」に掲載される２４ページ（Ｐ２４）の地図上の区画（Ａ３）に、端末装置２００から取得した位置情報が示す位置（現在位置）がある。
【００４９】
図４は、掲載物に掲載される地図の具体例を示している。図４には、書籍である「関東地図（図３参照）」の２４ページに掲載される地図の具体例が図示されている。
【００５０】
図４に示す具体例において、現在位置は、端末装置２００から取得した位置情報が示す位置であり、地図内の区画（Ａ３）内にある。したがって、図４に示す具体例であれば、「関東地図」についての現在位置の掲載箇所が、図３に例示するようにＰ２４（Ａ３）となる。
【００５１】
掲載物に掲載される地図が示す位置の範囲、例えば地図内の区画ごとの経度範囲と緯度範囲の情報は、データ記憶部１３０に予め記憶されていてもよいし、例えば掲載物関連データの一部として通信回線を介して情報提供装置１００に提供されてもよい。情報提供装置１００は、例えば、掲載物に掲載される地図が示す位置の範囲を示すデータと、端末装置２００の位置情報が示す現在位置とを比較して、現在位置に対応したページと区画を導出する。また、情報提供装置１００が、掲載物の電子データ（電子書籍など）を解析することにより、端末装置２００の位置情報が示す現在位置に対応したページと区画を導出するようにしてもよい。
【００５２】
こうして、例えば、図３に例示する地図情報が生成されると、生成された地図情報が地図情報提供部１４０から端末装置２００へ提供されて端末装置２００の表示部２２０に表示される。例えば、図３に例示する表がそのまま表示部２２０に表示されてもよいし、図３に例示する表の内容に基づいた表示画像が表示されてもよい。
【００５３】
図２を利用して説明した具体例１によれば、地図情報（例えば図３）が端末装置２００に提供されるため、例えば、旅先や出張先などの不慣れな場所でも、書籍やパンフレットなどの掲載物に掲載される地図上でユーザの現在位置に対応した掲載箇所が分かりやすくなる。また、例えば災害の発生等により端末装置２００に表示される地図を利用できない場合でも、書籍やパンフレットなどの掲載物に掲載される地図上でユーザの現在位置に対応した掲載箇所が分かりやすくなるため、掲載物に掲載される地図の利便性が向上する。
【００５４】
図５は、情報提供装置１００が実行する処理の具体例２を示す図（フローチャート）である。図５に示す具体例２では、まず、位置情報取得部１１０が端末装置２００から位置情報を取得し（Ｓ５０１）、掲載物特定部１２０が地図を掲載した複数の掲載物の中から位置情報を用いた処理により対象掲載物を特定する（Ｓ５０２）。Ｓ５０１，Ｓ５０２のステップでは、例えば具体例１（図２）のＳ２０１，Ｓ２０２のステップと同じ処理が実行される。
【００５５】
次に、端末装置２００の位置情報が示す位置から目的地までの経路を示す経路情報が生成される（Ｓ５０３）。目的地は、情報提供装置１００が提供する情報の利用目的に応じて決定される。例えば、災害発生時であれば、端末装置２００の位置情報が示す位置の周辺にある避難場所などが目的地とされる。また、情報提供装置１００が何らかのイベントの情報を提供する場合には、そのイベントの実施場所などが目的地とされる。もちろん、端末装置２００を利用してユーザが目的地を指定するようにしてもよい。
【００５６】
経路情報生成部１５０は、端末装置２００の位置情報が示す位置から目的地までの経路を示す経路情報を生成する。例えば、対象掲載物の地図上で、位置情報が示す位置から目的地までの経路に対応した掲載箇所を順に示す経路情報が生成される。そして、地図情報提供部１４０は、端末装置２００へ経路情報を提供する（Ｓ５０４）。
【００５７】
図６は、経路情報の具体例を示す図である。図６には、対象掲載物として特定された書籍「関東地図」「神奈川県地図」「横浜市地図」（図３参照）のそれぞれについて、位置情報が示す位置から目的地までの経路に対応した掲載箇所を順に示す経路情報が図示されている。
【００５８】
例えば、図６に示す具体例において、書籍である「関東地図」に掲載される２４ページ（Ｐ２４）の地図上の区画（Ａ３）に、端末装置２００から取得した位置情報が示す位置（現在位置）がある。そして、その「関東地図」に掲載される地図上において、現在位置に対応した掲載箇所である２４ページ（Ｐ２４）の区画（Ａ３）から、２４ページ（Ｐ２４）の区画（Ａ４），２３ページ（Ｐ２３）の区画（Ａ１９），２３ページ（Ｐ２３）の区画（Ｂ１９），２３ページ（Ｐ２３）の区画（Ｃ１９）の順に、目的地である第２公民館までの経路に対応した掲載箇所が示されている。
【００５９】
なお、図６に示す具体例では、「神奈川県地図」に掲載される地図上で、現在位置から目的地であるＢ市役所までの経路に対応した掲載箇所が示されており、「横浜市地図」に掲載される地図上で、目的地であるドイツ大使館までの経路に対応した掲載箇所が示されている。
【００６０】
こうして、例えば、図６に例示する経路情報が生成されると、生成された経路情報が地図情報提供部１４０から端末装置２００へ提供されて端末装置２００の表示部２２０に表示される。例えば、図６に例示する表がそのまま表示部２２０に表示されてもよいし、図６に例示する表の内容に基づいた表示画像が表示されてもよい。例えば、現在位置から目的地までの経路に対応した複数の掲載箇所の一覧（リスト）を示す表示画像が表示されてもよいし、それら複数の掲載箇所を一つずつ順に示す表示画像が表示されてもよい。さらに、図３に例示する地図情報と図６に例示する経路情報を含んだ表示画像が表示部２２０に表示されてもよい。
【００６１】
図７は、情報提供装置１００が取り扱う各種情報の具体例を示す図である。図７には、ユーザ情報と言語関連施設情報と周辺施設情報の具体例が図示されている。
【００６２】
ユーザ情報は、端末装置２００を利用するユーザに関する情報である。図７に示す具体例のユーザ情報には、利用言語と位置情報と翻訳時刻が含まれている。利用言語は、端末装置２００を利用するユーザが主に利用する言語（例えば母国語）である。情報提供装置１００の言語判定部１６０は、例えば、端末装置２００から得られる言語設定情報と翻訳サービスの利用情報の少なくとも一方から、その端末装置２００のユーザが利用する利用言語を判定する。
【００６３】
ユーザ情報に含まれる位置情報は、端末装置２００のユーザに関する位置情報である。例えば、端末装置２００の現在位置や翻訳サービスを利用した位置などがユーザ情報の位置情報とされる。なお、ユーザ情報の位置情報は、例えば経度と緯度で表現されてもよいし、基準となる座標系（例えば東西方向に対応した座標軸と南北方向に対応した座標軸を備えた座標系など）で表現されてもよい。そして、ユーザ情報に含まれる翻訳時刻は、ユーザが翻訳サービスを利用した時刻の情報である。
【００６４】
また、端末装置２００の表示部２２０にユーザ情報が表示されてもよい。例えば、図７に例示するユーザ情報の表がそのまま表示部２２０に表示されてもよいし、図７に例示する表の内容に基づいた表示画像が表示されてもよい。
【００６５】
言語関連施設情報は、端末装置２００を利用するユーザの利用言語に対応した特定施設に関連する情報である。情報提供装置１００の施設特定部１７０は、例えば、端末装置２００から得られる位置情報が示す位置の周辺にある複数の施設の中から、端末装置２００を利用するユーザの利用言語に対応した施設を特定施設とする。
【００６６】
例えば、図７に示す具体例のように、端末装置２００を利用するユーザの利用言語がドイツ語であれば、その端末装置２００から得られる位置情報が示す位置の周辺にある複数の施設の中から、ドイツ語に対応した施設であるドイツ料理店とドイツ語学校とドイツ大使館などが特定施設とされる。
【００６７】
そして、情報提供装置１００は、対象掲載物の地図上における特定施設の位置の掲載箇所を示す言語関連施設情報を生成する。図７に示す具体例では、特定施設であるドイツ料理店とドイツ語学校とドイツ大使館のそれぞれについて、対象掲載物である「関東地図」と「神奈川県地図」における地図の掲載箇所がページと区画で示されている。
【００６８】
生成された言語関連情報は、地図情報提供部１４０から端末装置２００へ提供されて端末装置２００の表示部２２０に表示される。例えば、図７に例示する言語関連施設情報の表がそのまま表示部２２０に表示されてもよいし、図７に例示する表の内容に基づいた表示画像が表示されてもよい。また、端末装置２００に地図を表示できる状況であれば、表示された地図上で特定施設の位置を示すようにしてもよい。
【００６９】
なお、情報提供装置１００は、例えば、ユーザの利用言語に対応した施設の連絡先情報（電話番号やメールアドレスなど）をそのユーザの端末装置２００に提供してもよい。また、ユーザの利用言語に対応した掲載物がある施設の位置情報などをそのユーザの端末装置２００に提供してもよい。
【００７０】
周辺施設情報は、端末装置２００から得られる位置情報が示す位置の周辺にある施設に関する情報である。情報提供装置１００、例えば、端末装置２００から得られる位置情報が示す位置の周辺にある複数の施設の中から、端末装置２００の位置に近い施設の位置を示す周辺施設情報を生成する。例えば、端末装置２００の位置情報が示す位置に最も近い特定施設（言語関連施設）や、対象掲載物がある施設（書店など）の位置を経度と緯度で示す周辺施設情報が生成される。例えば、周辺施設情報として、対象掲載物がある施設の位置情報を端末装置２００に提供することにより、端末装置２００を利用するユーザがその対象掲載物を入手しやすくなる。
【００７１】
生成された周辺施設情報は、情報提供装置１００はから端末装置２００へ提供されて端末装置２００の表示部２２０に表示される。例えば、図７に例示する周辺施設情報の表がそのまま表示部２２０に表示されてもよいし、図７に例示する表の内容に基づいた表示画像が表示されてもよい。また、端末装置２００に地図を表示できる状況であれば、表示された地図上で周辺施設の位置を示すようにしてもよい。
【００７２】
なお、情報提供装置１００から供給される情報（例えば図３の地図情報や図６の経路情報や図７の各種情報など）は、例えば災害などにより通信が途絶えてしまう前に、端末装置２００に提供されるようにしてもよい。例えば、緊急地震速報などの災害情報が得られた場合には、その災害情報の取得に応じて端末装置２００へ情報を提供するようにしてもよい。これにより、災害などにより端末装置２００の通信機能が利用できなくなってしまった場合でも、事前に情報提供装置１００から提供された情報（例えば図３の地図情報や図６の経路情報や図７の各種情報など）を参照することにより、ユーザが掲載物の地図を利用しやすくなる。
【００７３】
以上、本発明の好適な実施形態を説明したが、上述した実施形態は、あらゆる点で単なる例示にすぎず、本発明の範囲を限定するものではない。本発明は、その本質を逸脱しない範囲で各種の変形形態を包含する。
【符号の説明】
【００７４】
１００  情報提供装置、１１０  位置情報取得部、１２０  掲載物特定部、１３０  データ記憶部、１４０  地図情報提供部、１５０  経路情報生成部、１６０  言語判定部、１７０  施設特定部、２００  端末装置、２１０  位置情報処理部、２２０  表示部。
【図１】
2019197094.tif 000003
【図２】
2019197094.tif 000004
【図３】
2019197094.tif 000005
【図４】
2019197094.tif 000006
【図５】
2019197094.tif 000007
【図６】
2019197094.tif 000008
【図７】
2019197094.tif 000009